(57)【要約】【課題】停電しても、外胴内の処理液の液面が開閉扉の開放不能域にある限りは開閉扉を開放することができず、火傷や感染症に対する安全性を確保することができる洗浄機を提供する。【解決手段】開閉扉３の閉状態を維持するロック機構４０と、処理液の液面が開放可能域にあることを検出する第１液面検出器５６と、処理液の液面が開放不能域にあることを検出する第２液面検出器５７と、第２液面検出器５７の信号に基づいてロック機構４０のロック状態を維持すると共に、第１液面検出器５６の信号に基づいてロック機構のロック状態を解除する制御装置５１と、停電を検出して、少なくとも制御装置５１及びロック機構４０へ給電するバックアップ電源６３とを設けた。【選択図】　　　図９
2004049284.tif 000002
【特許請求の範囲】
【請求項１】
処理液を貯留する外胴内に、被洗物を収容して回転する回転ドラムを収納し、回転ドラムの投入口に連通する外胴の開口部に開閉扉を開閉可能に取り付けた洗浄機において、
開閉扉の閉状態を維持するロック機構と、
外胴内の処理液の液面を検出する液面検出器と、
液面検出器からの信号に基づいてロック機構のロック状態を制御する制御装置と、
停電時にロック機構へ給電するバックアップ電源と、
を備えたことを特徴とする洗浄機。
【請求項２】
制御装置には、停電により停止するまでの運転状況を記憶する記憶手段が備えられ、停電時にはバックアップ電源が制御装置へ給電することを特徴とする請求項１に記載の洗浄機。
【請求項３】
開閉扉には、空間部を隔てて透光性パネルが装着されていることを特徴とする請求項１または請求項２に記載の洗浄機。
【発明の詳細な説明】
【０００１】
【発明の属する技術分野】
本発明は、洗浄工程において熱水を用いて被洗物の洗浄、消毒・滅菌処理などを行う洗浄機に関するものである。
【０００２】
【従来の技術】
近年、病院や老人福祉施設等には、汚物除去機、洗濯脱水機、脱水・乾燥機能を備えた洗浄機が備えられるように成ってきているが、特に病院で使用される被洗物には、感染性の病原菌を保持した衣類や排泄物の付着した衣類や下着、又はおむつ等が含まれている。
したがって、被洗物の洗濯には洗浄工程において熱水を用い、熱水を８０℃以上に加熱して一定時間以上保持するなど、洗浄、消毒・滅菌等の処理を適正に施し得る洗浄機が開発されている。
【０００３】
この種の洗浄機は、例えば、筐体内に前方開口部を有する中空室として外胴が区画形成され、この外胴内に周壁に複数の貫通孔を開口した回転ドラムが回転可能に収納されており、外胴の開口部に取り付けられた開閉扉を開放して、回転ドラム内に被洗物を収容すると共に外胴内に熱水を供給して、回転ドラムを回転させることにより、汚染された被洗物を洗浄処理し、また外胴内の熱水を８０℃〜９３、９４℃程度の温度に加熱して１０分以上保持したり、外胴内の熱水に消毒薬を加えることにより、汚染された被洗物を洗浄、消毒・滅菌処理している。
【０００４】
【発明が解決しようとする課題】
ところで、従来の洗浄機にあっては、外胴内に貯留する熱水が８０℃〜９３、９４℃程度の温度に上昇するため、外胴の開口部に取り付けられた開閉扉の温度も上昇して熱くなっており、不用意に開閉扉に触ると火傷する虞れがあった。
【０００５】
また、開閉扉のロック機構は、洗浄機の運転開始でロックされるように構成されていたので、停電時には開閉扉が開放可能な状態となる。したがって、運転中に停電により停止したにもかかわらず、誤って開閉扉を開放してしまうことがあり、この場合、細菌等を含む汚染水が漏れ出て二次感染を引き起こす可能性に陥ったり、熱水がドラムより外部に飛散することで火傷をしたりする虞れがあった。
【０００６】
さらに、運転中に停電により停止した場合には、洗浄、消毒・滅菌等の処理の進行状況が把握できず、停電が回復した場合に初期状態となり、最初から全ての処理工程をやり直さなければならなかった。
【０００７】
本発明は、このような事情に鑑みてなされたものであり、その目的は、停電しても、外胴内に処理液があることを認識すると開閉扉を開放することができず、火傷や感染症に対する安全性を確保することができ、また停電時における処理進行状況を記憶して、停電の復旧後に継続運転を再開することができる洗浄機を提供することにある。
【０００８】
【課題を解決するための手段】
本発明は上記目的を達成するために提案されたもので、請求項１に記載のものは、処理液を貯留する外胴内に、被洗物を収容して回転する回転ドラムを収納し、回転ドラムの投入口に連通する外胴の開口部に開閉扉を開閉可能に取り付けた洗浄機において、
開閉扉の閉状態を維持するロック機構と、
外胴内の処理液の液面を検出する液面検出器と、
液面検出器からの信号に基づいてロック機構のロック状態を制御する制御装置と、
停電時にロック機構へ給電するバックアップ電源と、
を備えたことを特徴とする。
【０００９】
請求項２に記載のものは、制御装置には、停電により停止するまでの運転状況を記憶する記憶手段が備えられ、停電時にはバックアップ電源が制御装置へ給電することを特徴とする請求項１に記載の洗浄機である。
【００１０】
請求項３に記載のものは、開閉扉には、空間部を隔てて透光性パネルが装着されていることを特徴とする請求項１または請求項２に記載の洗浄機である。
【００１１】
【発明の実施の形態】
以下、本発明の実施の形態を図面に基づいて説明する。
図１は、本発明に係る洗浄機の一実施形態における外観を示す正面図である。また、図２は本実施形態の洗浄機における内部構造を示す正面図であり、図３はその側面図、図４はその背面図である。なお、以下の説明では、便宜上、図２における正面側を前面側または前方側とし、図４における背面側を後面側または後方側として説明する。
【００１２】
これらの図面に示すように、例示した本実施形態の洗浄機１は、回転ドラム２の回転軸芯を概水平方向に支持した横型の洗浄機であり、例えば、病院等において衣類等の被洗物を回転ドラム２内に収容して、洗浄処理、消毒・滅菌処理及び脱水処理を行うことができる洗浄機として構成されている。即ち、本実施形態の洗浄機１は、前面に開閉扉３を有する概ね直方体状の筺体４の内部に、洗浄時に加熱処理液を貯留する概水平方向に支持した中空円筒状の外胴５が区画形成され、この外胴５内に、周壁に複数の貫通孔６が開口された横向き有底円筒体状の回転ドラム２が回転可能に収納されており、この回転ドラム２内に被洗物を収容すると共に外胴５内に加熱処理液を供給して、回転ドラム２を回転させることにより被洗物を洗浄するように成っており、洗浄工程の完了後に濯ぎ工程を経て外胴５内から水を排出し、回転ドラム２を回転させて遠心力により被洗物に含まれた水分を脱水処理するように成っている。
【００１３】
外胴５は、筐体４の略上方中央部に区画形成された中空円柱状の中空室であり、下端底部に箱状の収容槽３３が一体に設けられ、この収容槽３３を含めた下半部分が加熱処理液や水等を溜める槽として機能する。
【００１４】
外胴５の前面には、後述する回転ドラム２の投入口２４に連通する円形状の開口部７が形成され、この開口部７にはシール材８を介して開閉扉３がヒンジ機構３´等により回動開閉可能に取り付けられている。したがって、開閉扉３の閉状態ではシール材８により密閉されるので、外胴５より水漏れすることなく加熱処理液や水等を貯留することができる。
【００１５】
図５に示すように、開閉扉３の周縁フレーム３ａはＳＵＳ３０４等の耐食性、耐薬品性及び耐熱性を有するステンレス鋼により形成されており、その外面及び内面には断熱空間部３４を挟んで、例えば、耐熱性透明ガラス板や透明アクリル板等の非金属製の円形透光パネル３ｂ，３ｃが装着されて二重パネル構造に形成されている。開閉扉３の外面に配するパネル３ｂは、例えば、周縁フレーム３ａのフランジ部にボルトで固定されている。一方、開閉扉３の内面に配するパネル３ｃは、例えば、裏当て金具３５を周縁フレーム３ａの内端部にボルトで固定し、この裏当て金具３５に内溝を有するリング状の支持パッキン３６を固定し、該支持パッキン３６の内溝に嵌合する状態でパネルを装着しており、裏当て金具３５には防水性を確保するため、Ｏリング３７が装着されている。したがって、開閉扉３の両パネル３ｂ，３ｃを透して外胴５内の状況を観察することができ、また外胴５内に貯留される加熱処理液に接触しても開閉扉３の外面は昇温され難く、使用者が不用意に開閉扉３に触れた場合の火傷を防止することができるものである。なお、この開閉扉３に装備されたロック機構については後述する。
【００１６】
この外胴５は、その下半部左右の前後に亘って、防振用の防振スプリング９を介設した架台１０ａ、１０ｂ上に配設されており、防振スプリング９により隔てられた架台１０ａ、１０ｂ間には、偏芯荷重等による衝撃を吸収すべく、ショックアブソーバー１１が配設されている。
【００１７】
外胴５には、被洗物の洗い工程において外胴５内へ熱水或いは温水を供給する給湯管（図示せず）と、濯ぎ工程において外胴５内へ水を供給する給水管（図示せず）とが接続されており、熱水或いは温水と水とを切り替えて供給等するために、給湯管には湯供給弁が介設され、給水管には水供給弁が介設されている。
なお、熱水、温水、及び水は、本発明における洗浄液の一種であり、給湯管及び給水管が本発明における洗浄液供給系として機能する。
【００１８】
外胴５の後面５ａの上部には、被洗物の消毒・滅菌処理時に外胴５内へ薬液を供給する複数の処理薬液供給管１２が接続されており、各処理薬液供給管１２には、数種の薬液を切り替えて供給等すべく、処理薬液供給弁１３がそれぞれ設けられている。薬品としては、洗剤、殺菌剤、消毒剤、消臭剤、脱臭剤、防臭剤などであり、必要に応じて適宜選択することができる。また、図面には示してないが、洗剤も処理薬液供給と同様の構成により所定量供給することができる。
【００１９】
外胴５の下端の収容槽３３には、下方へ向けて排水管１４が接続され、この排水管１４には蛇腹管１５を介して排水弁１６が介設されており、その先端部１４ａは筐体４内の下部に配された貯水タンク１７内の底部近傍まで垂下されている。したがって、この排水弁１６を開放することにより、外胴５の一部を開放することができ、外胴５内に貯留した加熱処理液や水等を貯水タンク１７内へ排出して一時貯留し得るように成っている。
【００２０】
この貯水タンク１７は概ね中空直方体状を呈しており、その容積は外胴５内の貯水容量との関係で適宜設定されるが、本実施形態では外胴５内の貯水容量と略等しく設定されている。また、貯水タンク１７の右側部の中央下部には貯水タンク１７内に沈殿した汚物等の残渣を排出するために、排出弁１８を介して下流側の下水系１９が接続されており、貯水タンク１７の右側部の中央上部にはオーバーフロー管２０が接続されて下水系１９へと合流して、貯水タンク１７の貯水量が所定の水量を超えたときに、オーバーフロー管２０から溢れ出る水を下水系１９へと排水するように成っている。
【００２１】
この貯水タンク１７は、後述する洗い工程や濯ぎ工程において、予め低温の水を貯留しておき、後述する本洗い工程で使用する加熱処理液を貯水タンク１７内へ排水することにより、冷たい貯留水と加熱処理液とを混合して降温させるための槽であり、降温作用を促進させるために貯水タンク１７に攪拌手段が備えられていることが好ましい。
【００２２】
上記排水管１４は外胴５から垂下され、図２において左側へ水平方向へ屈曲された後再び屈曲されて垂下され、その先端部１４ａは貯水タンク１７内に貯留される水等の中に浸漬される。したがって、排水管１４の先端側の部分がエアートラップとして機能することになり、貯水タンク１７や排水管１９を通じて外胴５へ逆流する汚物等の臭いを防止することになる。
【００２３】
外胴５の下端の収容槽３３は、被洗物から分離された汚物を円滑に収容して、回転ドラム７と外胴６との隙間に詰まることを防止するために区画形成されており、この収容槽３３内には、給水管から供給された水を加熱したり、給湯管から供給された熱水を加熱または温度維持するための電気ヒータ５８が加熱手段として設けられており、さらに外胴５の内部へ蒸気を吹き込むための蒸気導入管（図示せず）を接続してもよい。
【００２４】
また、外胴５の後面５ａの上部には貯水タンク１７へと至るオーバーフローチューブ２１が接続されており、外胴５内の貯水量が所定の水量を超えたときに、オーバーフローチューブ２１から溢れ出る水等を貯水タンク１７へと排水するように成っている。
【００２５】
さらに、外胴５内には、その内部に貯留する処理液等の液面を検出する液面検出器が設けられており、この液面検出器からの信号に基づいて開閉扉３のロック状態を制御装置の下で制御するように成っている。そして、本実施形態では、開閉扉３の開放可能域にあることを検出する第１液面検出器５６と、処理液等の液面が開閉扉３の開放不能域にあることを検出する第２液面検出器５７とが設けられている。第２液面検出器５７は、外胴５内の処理液等が前面開口部７の下端レベルを超えると開閉扉３を開放した場合に液漏れが生じるので、例えば、外胴５の開口部７の下端レベルに合わせて設けられており、又、第１液面検出器５６は、外胴５内の処理液等が開口部７の下端レベルを十分に下回ると開閉扉３を開放した場合に液漏れの虞れがないので、例えば、収容槽３３の上端レベルに合わせて設けられている。
【００２６】
回転ドラム２は、外胴５に対する内胴となるもので、前面に投入口２４を開口した概ね有底円筒体を横置きした形状を呈し、その周壁には貫通孔６が多数形成されており、所定の間隔を隔てて外胴５内に収納され、被洗物を収容して駆動手段２３により正逆回転、低速・高速回転し得るように構成されている。また、回転ドラム２の周壁内面には、被洗物を回転力で掻き揚げて攪拌するための突起部２２がその周方向に沿って等間隔で、例えば３〜６箇所に配置されている。即ち、有底円筒体の底部に相当する部分が回転ドラム２の後面となり、前方側も円形の投入口２４を有するリング状の前面２ａで覆われており、回転ドラム２の後面から後方へ突出した回転軸２５が外胴５の後面５ａに設けた軸受２６に横向きに軸支されている。そして、軸受２６から突出した回転軸２５の先端にプーリ２７が固定され、このプーリ２７とインバーターモータ２９とにＶベルト３０が張設され、このモータ２９の作動により回転ドラム２が回転駆動される。したがって、本実施形態では、モータ２９やプーリ２７、Ｖベルト３０が駆動手段２３として機能する。
【００２７】
次に、本実施形態の洗浄機１における開閉扉３のロック機構４０について、図６から図８を用いて説明する。図６は開閉扉３のロック機構を示す平面図であり、図７は図６のＩ−Ｉ視図である。また図８は開閉扉３のロック機構のロック状態検出スイッチを示す平面図である。
【００２８】
前記したように、本実施形態の洗浄機１における開閉扉３はヒンジ機構３´を支点として回動操作することにより、前面開口部７を開閉するように構成されている。図６に示すように、この開閉扉３の開閉操作は、開閉扉３の外面に取り付けられた把手４１を持ってピン４２を支点として回動させることにより成され、開閉扉３の閉操作は、把手４１を矢印Ａ方向に回動させることにより把手４１と一体化された円弧状のフック４３を図６の矢印Ａのように図中反時計方向（左回り）に回動させて、固定軸４４に係合させることにより成される。一方、開操作は、把手４１を逆に回動させるとフック４３が固定軸４４から外れることにより行われる。
【００２９】
フック４３の先端部上下には、図７に示すように、突起部４３ａが形成されており、この突起部４３ａにピン４５を支点として回動する板状のレバー部材４６の先端鈎部４６ａが図７の矢印Ｂのように右回りに回動して係合することにより、固定軸４４へのフック４３の係合状態をロックし、開閉扉３の閉状態を維持するように成っている。このレバー部材４６の操作はソレノイド４７のロッド４７ａを進出（図７中では上昇）させて、レバー部材４６の基端部４６ｂを押圧することにより成され、ソレノイド４７のロッド４７ａを後退させた場合には、レバー部材４６の後端部分を上方から押圧しているスプリング４８により付勢されて、レバー部材４６が左回りに回動し、レバー部材４６の先端鈎部４６ａがフック４３の先端突起部４３ａから外れて、開閉扉３が開放可能な状態（アンロック状態）となる。したがって、ソレノイド４７、レバー部材４６及びスプリング４８は、本実施形態のロック機構４０として機能することになる。
【００３０】
また、図８に示すように、固定軸４４の近傍には、ロック状態検出スイッチとしてスイッチ作動手段４９及びマイクロスイッチ５０が設けられている。このスイッチ作動手段４９は、例えばスプリングレバーにより形成され、フック４３が固定軸４４に係合している状態でフック４３の先端部がスイッチ作動手段４９の基端部４９ａを押圧することにより、スイッチ作動手段４９の作用部４９ｂがマイクロスイッチ５０を押圧して、開閉扉３が閉状態にあることを検出し、後述する制御装置５１に検出信号を送信するように成っている。
【００３１】
図９は、本実施形態の洗浄機１における制御装置の制御内容を説明するブロック図である。図示するように、制御装置５１は例えばマイクロコンピュータにより構成され、その制御部には処理演算を行うＣＰＵ５２と、制御内容を記録したＲＯＭ５３と、運転の進行状況等を記録するＲＡＭ５４とが設けられており、制御装置５１の入力側には、筐体４の前面左上部に設けられた操作パネル３２のスタートスイッチ５５、第１液面検出器５６、第２液面検出器５７、及びマイクロスイッチ５０が電気的に接続され、スタートスイッチ５５のオン信号と、第１液面検出器５６及び第２液面検出器５７の検出信号と、マイクロスイッチ５０の検出信号とが入力されるように成っている。
【００３２】
また、制御装置５１の出力側には、開閉扉３のロック機構４０を構成するソレノイド４７、回転ドラム２を回転駆動するモータ２９、外胴５の下端の収容槽３３内に配された電気ヒータ５８、外胴５内へ熱水を供給する給湯管に介設された熱水供給弁５９、外胴５内へ水を供給する給水管に介設された水供給弁６０、外胴５内へ薬液を供給する処理薬液供給管１２に介設された処理薬液供給弁１３、及び排水管１４に介設された排水弁１６が電気的に接続され、各機器に作動信号が出力されるように成っており、又、これらの各機器には、商用電源６１に接続された電源生成回路６２から所定の電圧、電流、電気容量の給電されるように成っている。
【００３３】
この電源生成回路６２は、制御装置５１にも給電を行っており、これに接続されたバックアップ電源６３に常時給電し、充電を行っている。バックアップ電源６３は、少なくとも制御装置５１、及びロック機構４０のソレノイド４７と電気的に接続され、停電時に給電を行うように成っている。このため、バックアップ電源６３には停電検出回路６４が電気的に接続されており、この停電検出回路６４は上記の電源生成回路６２からロック機構４０のソレノイド４７へ至る給電系６５に分岐接続されて給電状態を監視しており、電源生成回路６２からソレノイド４７へ給電され得なくなったときに停電と判断して、バックアップ電源６３から制御装置５１及びソレノイド４７へ給電するように成っている。なお、停電検出回路は、停電を検出してバックアップ電源からの給電を行うようにできればどのような構成でも良い。
【００３４】
次に、本実施形態の洗浄機１における作用とその処理方法について説明する。
本実施形態の洗浄機１は、一基の回転ドラム２で洗浄処理、消毒・滅菌処理及び脱水処理を行うことができる。
【００３５】
まず、開閉扉３を開放して回転ドラム２内に衣類等の被洗物を投入し、操作パネル３２のスタートスイッチ５５をオンにすると、そのオン信号が制御装置５１に入力され、制御装置５１がマイクロスイッチ５０からの検出信号に基づいて開閉扉３の閉状態を確認した後、制御装置５１の制御の下で、水供給弁６０が開放されて外胴５内に所定量の水が供給され、被洗物が回転ドラム２内で水に浸漬される。
【００３６】
本実施形態では、回転ドラム２の中心よりも下方の位置まで水が供給され、その水位を第２液面検出器５７が検出すると、この第２液面検出器５７からの信号に基づいて制御装置５１が供給弁６０を閉成する。なお、外胴５内の水位が危険域まで上昇した場合には、前記したオーバーフローチューブ２１から貯水タンク１７内へ排水される。そして、外胴５内に所定量の水を供給して回転ドラム２内の被洗物が浸漬されたならば、制御装置５１がモータ２９を回転して回転ドラム２を回転し、この回転により被洗物の予洗い工程を行う。
【００３７】
予洗い工程が終了したならば、排水管１４に介設した排水弁１６を開放して、外胴５内の水を貯水タンク１７へと排水して貯留する。
【００３８】
予洗い工程で使用した水の排水完了の後、制御装置５１の制御の下で、処理薬液供給弁１３が開放されて外胴５内に所定量の処理液が供給されると共に、湯供給弁５９が開放されて所定量の熱水が供給され、これにより所定濃度の加熱処理液が外胴５内に貯留される。前記したように、この加熱処理液のレベルを第２液面検出器５７が検出すると、この第２液面検出器５７からの信号に基づいて制御装置５１が湯供給弁５９を閉じる。
【００３９】
外胴５内に所定量の加熱処理液を供給して回転ドラム２内の被洗物が浸漬されたならば、制御装置５１がモータ２９を回転して回転ドラム２を回転し、この回転により被洗物から汚物を分離する本洗い工程を行う。加熱処理液の温度は８０〜１００℃、好ましくは８５℃以上である。８５℃まで加熱すると殺菌あるいは滅菌を確実に行うことができ、しかも、汚物等を有効に分離することができる。
【００４０】
なお、開閉扉３を閉じると外胴５内は密閉されるので、洗浄工程中に悪臭が外部に漏れることはなく、前記したように、排水管１４の先端側の９０°エルボから下の部分がエアートラップとして機能するので、汚物等の臭いが逆流するのを防止することになる。
【００４１】
また、高温処理液で加熱した被洗物を回転ドラム２により回転すると、被洗物を突起部２２に高く掻き揚げられてから落下させることができ、この落下による衝撃により容易に汚物を分離することができる。
【００４２】
本洗い工程が終了したならば、衣類等の被洗物を回転ドラム２内に残したまま排水弁１６を開放して、処理液を貯水タンク１７へと排液する。この貯水タンク１７には前回の予洗い工程で使用した低温の水が貯留されているので、今回の本洗い工程で使用した熱水を外胴５から排出して貯水タンク１７内の水に混合して降温した上で、オーバーフロー管２０から下流側の下水系１９へと排水することができる。
【００４３】
排液工程が終了したならば、水供給弁６０を開放して外胴５内に水を供給し、回転ドラム２の回転により衣類等の被洗物を濯ぎ洗浄する。濯ぎ工程が終了したならば、再度、排水管１４の排水弁１６を開放して排液工程を行い、外胴５内の水を汚物等とともに貯水タンク１７内へと排出する。本実施形態では、この濯ぎ工程を３回繰り返すこととする。そして、３回目の濯ぎ工程が終了した後排液工程を行うと、貯水タンク１７内には再び冷たい水が貯留されることになり、この貯水タンク１７内の貯留水は次回の本洗い工程で使用する加熱処理液を降温する水として用いられる。
【００４４】
最終の排液工程が終了したならば、脱水工程へと移行することになる。脱水処理は、排水弁１６を開放した状態で回転ドラム２を回転させることにより遠心力で被洗物に含まれている水分を除去することにより行う。そして、回転ドラム２内に残った衣類等の被洗物は加熱滅菌ないし消毒処理されているので、再利用することができる。
【００４５】
全ての工程が完了すると、制御装置５１が第１液面検出器５６からの検出信号を受信し、ロック機構４０を構成するソレノイド４７のロッド４７ａを後退作動させ、スプリング４８に付勢されてレバー部材４６が左回りに回動することにより、フック４３のロック状態を解除し、開閉扉３を開放可能とする。これにより使用者は把手４１を操作し開閉扉３を開放して、被洗物を取り出すことができるが、開閉扉３の外面及び内面３ｃには空間部３４を隔ててパネル３ｂ，３ｃが装着されているので、外胴５内の加熱処理液に接触しても開閉扉３の外面及び内面が昇温され難く成っており、不用意に開閉扉３に触れたとしても火傷を防止することができる。また、パネル３ｂ，３ｃは透光性を有するので、洗浄機１の運転中に外胴５内の状況を観察することができる。
【００４６】
また、使用者が運転中に把手４１を誤って操作して開閉扉３を開放しようとしたとしても、制御装置５１が第１液面検出器５６からの検出信号を受信し、外胴５内の処理液の液面が開放不能域にあると判断して、ロック機構４０が開閉扉３をロックしているので、固定軸４４からフック４３が外れることがなく、開閉扉３は開かれることがない。
【００４７】
本実施形態の洗浄機１の運転中に停電が発生した場合には、前記した停電検出回路６４が電源生成回路６２からソレノイド４７へ至る給電系６５の給電状態を監視しており、電源生成回路６２からソレノイド４７へ給電されなくなったときに停電と判断して、バックアップ電源６３から制御装置５１及びソレノイド４７へ給電するように成っているので、開閉扉３のロック機構４０はロック状態に維持され、停電しても開閉扉３が開放されず、火傷や感染症に対する安全性を確保することができる。
【００４８】
また、制御装置５１の制御部には、停電により運転が停止するまでの処理進行状況を記憶する記憶手段としてＲＡＭ５４が備えられているので、停電の復旧後にＲＡＭ５４に記憶した処理進行状況に基づいて、継続運転を再開することができるものである。
【００４９】
上記実施形態の洗浄機１は、一基の回転ドラム２で洗浄処理、消毒・滅菌処理及び脱水処理を行うことができる装置として構成したが、回転ドラム２内で乾燥処理をも行う装置として構成してもよい。
【００５０】
なお、上記の実施形態では、洗浄処理、加熱消毒・滅菌等の各処理について、その一例を述べたに過ぎず、その処理方法や処理順序等は本実施形態に何ら拘束されるものではない。
【００５１】
また、本実施形態の洗浄機１は回転ドラム２の回転軸芯を概水平方向に支持した所謂横型の洗浄機として構成されているが、その形式や方式等は何ら限定されるものではなく、例えば、回転ドラム２の回転軸芯を縦向きに配した所謂竪型の洗浄機として構成してもよい。
【００５２】
【発明の効果】
以上説明したように本発明によれば、次のような優れた効果を奏する。
即ち、請求項１に記載の発明によれば、開閉扉の閉状態を維持するロック機構と、外胴内の処理液の液面を検出する液面検出器と、液面検出器からの信号に基づいてロック機構のロック状態を制御する制御装置と、停電時にロック機構へ給電するバックアップ電源とを備えるので、制御装置が、外胴内の処理液の液面が開閉扉の開放可能域にあることを検出する液面検出器の信号を受信した場合にのみ開閉扉を開放することができ、且つ、停電しても外胴内の処理液の液面が開閉扉の開放不能域にある限りは開閉扉を開放することができず、火傷や感染症に対する安全性を確保することができる。
【００５３】
請求項２に記載の発明によれば、制御装置には停電により停止するまでの処理進行状況を記憶する記憶手段が備えられているので、停電の復旧後に記憶手段に記憶した処理進行状況に基づき、継続運転を再開することができる。
【００５４】
請求項３に記載の発明によれば、開閉扉には、空間部を隔てて透光性パネルが装着されているので、外胴内の状況を観察することができ、又、外胴内の加熱処理液に接触しても開閉扉の外面及び内面が昇温され難く、使用者が不用意に開閉扉に触れた場合の火傷を防止することができる。
【図面の簡単な説明】
【図１】本発明に係る洗浄機の一実施形態における外観を示す正面図である。
【図２】本実施形態の洗浄機における内部構造を示す正面図である。
【図３】本実施形態の洗浄機における内部構造を示す側面図である。
【図４】本実施形態の洗浄機における内部構造を示す背面図である。
【図５】本実施形態の洗浄機における開閉扉の構造を示す概略図及び一部拡大図である。
【図６】本実施形態の洗浄機において、開閉扉のロック機構を示す平面図である。
【図７】図６の正面図である。
【図８】本実施形態の洗浄機において、開閉扉のロック機構のロック状態検出スイッチを示す平面図である。
【図９】本実施形態の洗浄機における制御装置の制御内容を説明するブロック図である。
【符号の説明】
１　洗浄機
２　回転ドラム
２　前面
３　開閉扉
３ａ　周縁フレーム
３ｂ　外面
３ｃ　内面
４　筺体
５　外胴
５ａ　後面
６　貫通孔
７　開口部
８　シール材
９　防振スプリング
１０ａ，１０ｂ　架台
１１　ショックアブソーバー
１４　排水管
１４ａ　先端部
１５　蛇腹管
１６　排水弁
１７　貯水タンク
１８　排出弁
１９　下水系
２０　オーバーフロー管
２１　オーバーフローチューブ
２２　突起部
２３　駆動手段
２４　投入口
２５　回転軸
２６　軸受
２７　プーリ
２８　架台
２９　インバーターモータ
３０　Ｖベルト
３１　ショックアブソーバー
３２　操作パネル
３３　収容槽
３４　空間部
３５　裏当て金具
３６　支持パッキン
３７　Ｏリング
４０　ロック機構
４１　把手
４２　ピン
４３　フック
４３ａ　突起部
４４　固定軸
４５　ピン
４６　レバー部材
４６ａ　先端鈎部
４６ｂ　基端部
４７　ソレノイド
４７ａ　ロッド
４８　スプリング
４９　スイッチ作動手段
４９ａ　基端部
４９ｂ　作用部
５０　マイクロスイッチ
５１　制御装置
５２　ＣＰＵ
５３　ＲＯＭ
５４　ＲＡＭ
５５　スタートスイッチ
５６　第１液面検出器
５７　第２液面検出器
５８　電気ヒータ
５９　湯供給弁
６０　水供給弁
６１　交流電源
６２　電源生成回路
６３　バックアップ電源
６４　停電検出回路
６５　給電系
【図１】
2004049284.tif 000003
【図２】
2004049284.tif 000004
【図３】
2004049284.tif 000005
【図４】
2004049284.tif 000006
【図５】
2004049284.tif 000007
【図６】
2004049284.tif 000008
【図７】
2004049284.tif 000009
【図８】
2004049284.tif 000010
【図９】
2004049284.tif 000011